【手続補正書】
【提出日】平成17年10月26日(2005.10.26)
【手続補正１】
【補正対象書類名】明細書
【補正対象項目名】発明の名称
【補正方法】変更
【補正の内容】
【発明の名称】情報処理装置、オブジェクト選択方法、及びオブジェクト選択プログラム  
【手続補正２】
【補正対象書類名】明細書
【補正対象項目名】特許請求の範囲
【補正方法】変更
【補正の内容】
【特許請求の範囲】
【請求項１】  保存した画像データに基づいて、表示部にオブジェクトを表示するとともに当該オブジェクトのうち選択されたものの画像を再生表示する情報処理装置において、
前記オブジェクトの選択の際に、既に選択されたオブジェクトの選択状態を解除するとともに新たに選択されたオブジェクトを選択状態にし、選択されたオブジェクトについて所定の画像再生表示を実行する第１の選択モードと、前記オブジェクトの選択の際に、既に選択状態に有る選択オブジェクトのうち再度選択されたものを除いて選択状態を維持するとともに、新たに選択されたオブジェクトを選択状態にする第２の選択モードとを有し、前記第１の選択モード及び前記第２の選択モードのいずれか一方へ切替えるモード切替手段を備えることを特徴とする情報処理装置。
【請求項２】  前記オブジェクトが表示された表示部への接離によって前記オブジェクトを選択するペンを備えたことを特徴する請求項１記載の情報処理装置。
【請求項３】  前記オブジェクトの複数が同時に前記表示部に表示されている場合に、前記複数のオブジェクト全てを特定の順に辿るルートであって、前記ペンが前記表示部に接触したペンダウン位置を始点とし、前記ペンが前記表示部から離れたペンアップ位置を終点とし、前記始点から終点まで辿る、範囲選択ルートを設定し、当該範囲選択ルート上のオブジェクトを選択の範囲にする範囲選択手段を備えることを特徴とする請求項２記載の情報処理装置。
【請求項４】  前記オブジェクトの複数が同時に前記表示部に表示されている場合に、前記ペンが前記表示部に接触したペンダウン位置を始点とし、前記ペンが前記表示部から離れたペンアップ位置を終点とし、前記始点から終点まで辿る前記ペンの軌跡が通るオブジェクトを選択の範囲にする軌跡範囲選択手段を備えることを特徴とする請求項２記載の情報処理装置。
【請求項５】  前記オブジェクトを順次表示するスライドショウの対象となるオブジェクトは、前記選択オブジェクトがあるときは選択オブジェクトのみであり、前記選択オブジェクトが無いときは前記表示部に表示されているオブジェクトと同一階層の全てのオブジェクトであることを特徴とする請求項１乃至４のいずれか１項に記載の情報処理装置。
【請求項６】  前記第２の選択モードから前記第１の選択モードへの切替えを指示した場合に、前記選択オブジェクトのみを特定の順に再配置して前記表示部に表示させることを特徴とする請求項１乃至５のいずれか１項に記載の情報処理装置。
【請求項７】  保存した画像データに基づいて、表示部にオブジェクトを表示するとともに当該オブジェクトのうち選択されたものの画像を再生表示する情報処理装置におけるオブジェクト選択方法において、
前記オブジェクトの選択の際に、既に選択されたオブジェクトの選択状態を解除するとともに新たに選択されたオブジェクトを選択状態にし、選択されたオブジェクトについて所定の画像再生表示を実行する第１の選択モード実行ステップと、
前記オブジェクトの選択の際に、既に選択状態に有る選択オブジェクトのうち再度選択されたものを除いて選択状態を維持するとともに、新たに選択されたオブジェクトを選択状態にする第２の選択モード実行ステップと、
前記第１の選択モード実行ステップ及び前記第２の選択モード実行ステップのいずれか一方へ切替えるモード切替ステップとを有することを特徴とするオブジェクト選択方法。
【請求項８】  前記オブジェクトの選択は、前記オブジェクトが表示された表示部へのペンの接離によることを特徴する請求項７記載のオブジェクト選択方法。
【請求項９】  前記オブジェクトの複数が同時に前記表示部に表示されている場合に、前記複数のオブジェクト全てを特定の順に辿るルートであって、前記ペンが前記表示部に接触したペンダウン位置を始点とし、前記ペンが前記表示部から離れたペンアップ位置を終点とし、前記始点から終点まで辿る、範囲選択ルートを設定し、当該範囲選択ルート上のオブジェクトを選択の範囲にする範囲選択ステップを有することを特徴とする請求項８記載のオブジェクト選択方法。
【請求項１０】  前記オブジェクトの複数が同時に前記表示部に表示されている場合に、前記ペンが前記表示部に接触したペンダウン位置を始点とし、前記ペンが前記表示部から離れたペンアップ位置を終点とし、前記始点から終点まで辿る前記ペンの軌跡が通るオブジェクトを選択の範囲にする軌跡範囲選択ステップを有することを特徴とする請求項８記載のオブジェクト選択方法。
【請求項１１】  前記オブジェクトを順次表示するスライドショウの対象となるオブジェクトは、前記選択オブジェクトがあるときは選択オブジェクトのみであり、前記選択オブジェクトが無いときは前記表示部に表示されているオブジェクトと同一階層の全てのオブジェクトであることを特徴とする請求項７乃至１０のいずれか１項に記載のオブジェクト選択方法。
【請求項１２】  前記第２の選択モードから前記第１の選択モードへの切替えを指示した場合に、前記選択オブジェクトのみを特定の順に再配置して前記表示部に表示させることを特徴とする請求項７乃至１１のいずれか１項に記載のオブジェクト選択方法。
【請求項１３】  請求項７乃至１２のいずれか１項に記載のオブジェクト選択方法をコンピュータに実行させることを特徴とするオブジェクト選択プログラム。
【手続補正３】
【補正対象書類名】明細書
【補正対象項目名】０００１
【補正方法】変更
【補正の内容】
【０００１】
【発明の属する技術分野】
本発明は、保存した画像データに基づいて、表示部にオブジェクトを表示するとともに当該オブジェクトのうち選択されたものの画像を再生表示する情報処理装置、当該情報処理装置におけるオブジェクト選択方法、及びオブジェクト選択プログラムに関する。
【手続補正４】
【補正対象書類名】明細書
【補正対象項目名】０００８
【補正方法】変更
【補正の内容】
【０００８】
【特許文献１】特開２００１−２３１０１４号公報
【特許文献２】特開２００２−１７５１４３号公報
【手続補正５】
【補正対象書類名】明細書
【補正対象項目名】００１０
【補正方法】変更
【補正の内容】
【００１０】
本発明の目的は、オブジェクトの選択における操作性の向上した情報処理装置、オブジェクト選択方法、及びオブジェクト選択プログラムを提供することにある。
【手続補正６】
【補正対象書類名】明細書
【補正対象項目名】００１１
【補正方法】変更
【補正の内容】
【００１１】
【課題を解決するための手段】
上記目的を達成するために、請求項１の情報処理装置は、保存した画像データに基づいて、表示部にオブジェクトを表示するとともに当該オブジェクトのうち選択されたものの画像を再生表示する情報処理装置において、前記オブジェクトの選択の際に、既に選択されたオブジェクトの選択状態を解除するとともに新たに選択されたオブジェクトを選択状態にし、選択されたオブジェクトについて所定の画像再生表示を実行する第１の選択モードと、前記オブジェクトの選択の際に、既に選択状態に有る選択オブジェクトのうち再度選択されたものを除いて選択状態を維持するとともに、新たに選択されたオブジェクトを選択状態にする第２の選択モードとを有し、前記第１の選択モード及び前記第２の選択モードのいずれか一方へ切替えるモード切替手段を備えることを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項２の情報処理装置は、請求項１記載の情報処理装置において、前記オブジェクトが表示された表示部への接離によって前記オブジェクトを選択するペンを備えたことを特徴する。
【手続補正９】
【補正対象書類名】明細書
【補正対象項目名】００１４
【補正方法】変更
【補正の内容】
【００１４】
請求項３の情報処理装置は、請求項２記載の情報処理装置において、前記オブジェクトの複数が同時に前記表示部に表示されている場合に、前記複数のオブジェクト全てを特定の順に辿るルートであって、前記ペンが前記表示部に接触したペンダウン位置を始点とし、前記ペンが前記表示部から離れたペンアップ位置を終点とし、前記始点から終点まで辿る、範囲選択ルートを設定し、当該範囲選択ルート上のオブジェクトを選択の範囲にする範囲選択手段を備えることを特徴とする。
【手続補正１０】
【補正対象書類名】明細書
【補正対象項目名】００１５
【補正方法】変更
【補正の内容】
【００１５】
請求項４の情報処理装置は、請求項２記載の情報処理装置において、前記オブジェクトの複数が同時に前記表示部に表示されている場合に、前記ペンが前記表示部に接触したペンダウン位置を始点とし、前記ペンが前記表示部から離れたペンアップ位置を終点とし、前記始点から終点まで辿る前記ペンの軌跡が通るオブジェクトを選択の範囲にする軌跡範囲選択手段を備えることを特徴とする。
【手続補正１１】
【補正対象書類名】明細書
【補正対象項目名】００１６
【補正方法】変更
【補正の内容】
【００１６】
請求項５の情報処理装置は、請求項１乃至４のいずれか１項に記載の情報処理装置において、前記オブジェクトを順次表示するスライドショウの対象となるオブジェクトは、前記選択オブジェクトがあるときは選択オブジェクトのみであり、前記選択オブジェクトが無いときは前記表示部に表示されているオブジェクトと同一階層の全てのオブジェクトであることを特徴とする。
請求項６の情報処理装置は、請求項１乃至５のいずれか１項に記載の情報処理装置において、前記第２の選択モードから前記第１の選択モードへの切替えを指示した場合に、前記選択オブジェクトのみを特定の順に再配置して前記表示部に表示させることを特徴とする。
【手続補正１２】
【補正対象書類名】明細書
【補正対象項目名】００１７
【補正方法】変更
【補正の内容】
【００１７】
上記目的を達成するために、請求項７のオブジェクト選択方法は、保存した画像データに基づいて、表示部にオブジェクトを表示するとともに当該オブジェクトのうち選択されたものの画像を再生表示する情報処理装置におけるオブジェクト選択方法において、前記オブジェクトの選択の際に、既に選択されたオブジェクトの選択状態を解除するとともに新たに選択されたオブジェクトを選択状態にし、選択されたオブジェクトについて所定の画像再生表示を実行する第１の選択モード実行ステップと、前記オブジェクトの選択の際に、既に選択状態に有る選択オブジェクトのうち再度選択されたものを除いて選択状態を維持するとともに、新たに選択されたオブジェクトを選択状態にする第２の選択モード実行ステップと、前記第１の選択モード実行ステップ及び前記第２の選択モード実行ステップのいずれか一方へ切替えるモード切替ステップとを有することを特徴とする。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
請求項８のオブジェクト選択方法は、請求項７記載のオブジェクト選択方法において、前記オブジェクトの選択は、前記オブジェクトが表示された表示部へのペンの接離によることを特徴する。
【手続補正１５】
【補正対象書類名】明細書
【補正対象項目名】００２０
【補正方法】変更
【補正の内容】
【００２０】
請求項９のオブジェクト選択方法は、請求項８記載のオブジェクト選択方法において、前記オブジェクトの複数が同時に前記表示部に表示されている場合に、前記複数のオブジェクト全てを特定の順に辿るルートであって、前記ペンが前記表示部に接触したペンダウン位置を始点とし、前記ペンが前記表示部から離れたペンアップ位置を終点とし、前記始点から終点まで辿る、範囲選択ルートを設定し、当該範囲選択ルート上のオブジェクトを選択の範囲にする範囲選択ステップを有することを特徴とする。
【手続補正１６】
【補正対象書類名】明細書
【補正対象項目名】００２１
【補正方法】変更
【補正の内容】
【００２１】
請求項１０のオブジェクト選択方法は、請求項８記載のオブジェクト選択方法において、前記オブジェクトの複数が同時に前記表示部に表示されている場合に、前記ペンが前記表示部に接触したペンダウン位置を始点とし、前記ペンが前記表示部から離れたペンアップ位置を終点とし、前記始点から終点まで辿る前記ペンの軌跡が通るオブジェクトを選択の範囲にする軌跡範囲選択ステップを有することを特徴とする。
【手続補正１７】
【補正対象書類名】明細書
【補正対象項目名】００２２
【補正方法】変更
【補正の内容】
【００２２】
請求項１１のオブジェクト選択方法は、請求項７乃至１０のいずれか１項に記載のオブジェクト選択方法において、前記オブジェクトを順次表示するスライドショウの対象となるオブジェクトは、前記選択オブジェクトがあるときは選択オブジェクトのみであり、前記選択オブジェクトが無いときは前記表示部に表示されているオブジェクトと同一階層の全てのオブジェクトであることを特徴とする。
請求項１２のオブジェクト選択方法は、請求項７乃至１１のいずれか１項に記載のオブジェクト選択方法において、前記第２の選択モードから前記第１の選択モードへの切替えを指示した場合に、前記選択オブジェクトのみを特定の順に再配置して前記表示部に表示させることを特徴とする。
【手続補正１８】
【補正対象書類名】明細書
【補正対象項目名】００２４
【補正方法】削除
【補正の内容】
【手続補正１９】
【補正対象書類名】明細書
【補正対象項目名】００５９
【補正方法】変更
【補正の内容】
【００５９】
次に、ＰＤＡ１００において、オブジェクトを選択する操作手順と、その場合の表示変化の様子を説明する。なお、以降の説明では、便宜上、各オブジェクトを正方形で表すこととし、「アクティブオブジェクト」は破線で囲むことで示し、また「選択オブジェクト」はハッチング（網掛け／斜線掛け）を付けることによって夫々を識別表示する。また、非選択オブジェクトは白抜きで表示する。
【手続補正２０】
【補正対象書類名】明細書
【補正対象項目名】０１３７
【補正方法】変更
【補正の内容】
【０１３７】
【発明の効果】
以上詳細に説明したように、請求項１記載の情報処理装置、請求項７記載のオブジェクト選択方法、請求項１３記載のオブジェクト選択プログラムによれば、第１の選択モードが選択されたときはオブジェクトの選択の際に、既に選択されたオブジェクトの選択状態を解除し、新たに選択されたオブジェクトを選択状態にし、選択されたオブジェクトについて所定の画像再生表示を実行させることができる。また、第２の選択モードが選択されたときは、前記オブジェクトの選択の際に、既に選択状態に有る選択オブジェクトのうち再度選択されたものを除いて選択状態を維持するとともに、新たに選択されたオブジェクトを選択状態にできる。そして、第１の選択モード及び第２の選択モードのいずれか一方へ切り替えることができる。これにより、ユーザはその時々で利用に適した選択モードへ切替えることができ、オブジェクトの選択における操作性が向上することとなる。